(57)【要約】【課題】複数の映像信号のサーチ実行時に各映像信号の有無を判定する時間を適切に設定する。【解決手段】ＨＤＭＩ（登録商標）信号端子を含む複数の映像信号端子を有する入力部(11〜13)と、ＨＤＭＩ信号端子中の給電端子に対する電源供給の有無と、ＨＤＭＩ信号端子を介しての信号の送受の段階との少なくとも１つに応じて当該端子のサーチ時間を設定し、設定したサーチ時間に従ってデジタル映像信号の入力の有無を判定するＣＰＵ14とを備える。【選択図】      図２
2019220875.tif 000002
【特許請求の範囲】
【請求項１】
デジタル映像信号端子を含む複数の映像信号端子を有する入力部と、
上記入力部から入力した入力信号を表示する表示部と、
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御部と、
を備える表示装置。
【請求項２】
上記接続状態は、上記デジタル映像信号端子を介しての信号の送受の段階である、請求項１記載の表示装置。
【請求項３】
上記制御部は、コピーガードの認証処理の処理段階、及びデジタル映像信号の入力の有無の少なくとも１つに応じて、上記デジタル映像信号端子のサーチ時間を延長設定する、請求項１または２記載の表示装置。
【請求項４】
上記制御部は、コピーガードの認証処理の処理段階、及びデジタル映像信号の入力の有無のそれぞれに応じて、異なる時間幅で当該端子のサーチ時間を延長設定する、請求項３記載の表示装置。
【請求項５】
デジタル映像信号端子を含む複数の映像信号端子を有する入力部と、上記入力部から入力した入力信号を表示する表示部とを備えた装置での表示制御方法であって、
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御工程を有する表示制御方法。
【請求項６】
デジタル映像信号端子を含む複数の映像信号端子を有する入力部と、上記入力部から入力した入力信号を表示する表示部とを備えた装置が内蔵したコンピュータが実行するプログラムであって、上記コンピュータを、
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御部として機能させるプログラム。
【発明の詳細な説明】
【技術分野】
【０００１】
本発明は、複数のデジタル映像信号を入力可能な表示装置、表示制御方法及びプログラムに関する。
【背景技術】
【０００２】
電気的な接続を確認してから画像信号を出力までの待機時間が異なる外部機器に対しても、サーチ時間の長時間化を抑えつつ、画像信号の有無の判断の確実性を高めるための技術が提案されている。（例えば、特許文献１）
【先行技術文献】
【特許文献】
【０００３】
【特許文献１】特開２０１３−１９１９４５号公報
【発明の概要】
【発明が解決しようとする課題】
【０００４】
上記特許文献１には、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子を介して電源供給があるか否かにより、当該端子における画像信号の入力の有無を判断するための所定時間を変更設定するようにした技術が記載されている。
【０００５】
プロジェクタ装置においては、一般にオートサーチと呼称される機能により、上記ＨＤＭＩ信号のみならず、予め当該装置で入力可能な各種映像信号のサーチを順次実行する。
【０００６】
図６は、ＲＧＢ端子、ＨＤＭＩ端子、コンポジットビデオ端子の順に入力される映像信号のサーチを行ない、コンポジットビデオ端子で映像信号ありを検出して、その後に投影を開始する行程を例示している。
【０００７】
同図において、タイミングｔ１でオートサーチを開始すると、まずＲＧＢ端子での信号サーチを行なう。ＲＧＢ信号が入力されていないことを判定した時点（タイミングｔ２）で、次にＨＤＭＩ信号のサーチを開始する（タイミングｔ３）。
【０００８】
ＨＤＭＩ信号も入力されていないことを判定した時点（タイミングｔ４）で、次にコンポジットビデオ信号のサーチを開始する（タイミングｔ５）。その後、コンポジットビデオ信号を検出した時点（タイミングｔ６）で、検出結果に従って、コンポジットビデオ信号を用いた画像投影を開始している（タイミングｔ７）。
【０００９】
また特に、ＨＤＭＩ端子への信号の入力に際しては、ビデオディスクプレーヤやパーソナルコンピュータなど、映像信号を供給する側のソース機器と、テレビ受像器やプロジェクタ装置など、供給された映像信号を再生出力する側のシンク機器との間で、やりとりされる接続に要する時間が、機器によって大幅に異なる場合がある。
【００１０】
図７は、ソース機器とシンク機器との間でのＨＤＭＩ信号のサーチから映像信号を伝送するまでに至る接続シーケンスを例示する図である。
【００１１】
ソース機器とシンク機器とがＨＤＭＩケーブルで接続されると、ソース機器からシンク機器に電源ラインを介して＋５［Ｖ］の電圧が印加される（ステップＳ０１）。
【００１２】
シンク機器では、その電圧印加を検出した上で、ソース機器へのホットプラグ検出ライン（ＨＰＤ）を“Ｈ”レベルに設定することで（ステップＳ０２）、リンク確立が実行される（ステージＴＳ１）。
【００１３】
ソース機器は、これを受けて機器間認証のためのＥＤＩＤ（Ｅｘｔｅｎｄｅｄ  Ｄｉｓｐｌａｙ  Ｉｄｅｎｔｉｆｉｃａｔｉｏｎ  Ｄａｔａ）を読み出してシンク機器へ送信する（ステップＳ０３）（ステージＴＳ２）。
【００１４】
シンク機器は、サポートしている解像度のデータ（ＥＤＩＤ）を内部に持っている。シンク機器とソース機器を接続するだけで、自動で簡単に使用できるようにするため、ＥＤＩＤは、ＨＤＭＩ、ＤＶＩ（Ｄｉｇｉｔａｌ  Ｖｉｓｕａｌ  Ｉｎｔｅｒｆａｃｅ）、ＤｉｓｐｌａｙＰｏｒｔの接続端子に組み込まれている。これにより、シンク機器とソース機器とでケーブルを介して、推奨解像度やリフレッシュレート等を通信できる。
【００１５】
以後、ソース機器からシンク機器へＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）による初期認証を開始し（ステップＳ０４）、さらに双方の機器間で当該初期認証のためのデータのやり取りを実行する（ステップＳ０５）。コンテンツがコピーガードのために暗号化されている場合には、ＨＤＣＰ認証が必要になる。
【００１６】
以上、ソース機器がＨＤＣＰの初期認証を得られるまで（ステップＳ０６）、ＨＤＣＰ認証の処理を実行する（ステージＴＳ３）。
【００１７】
ＨＤＣＰ認証が得られると、ソース機器でＨＤＣＰに則った暗号化を開始し（ステップＳ０７）、実際の映像信号の伝送処理として（ステージＴＳ４）、デジタル映像信号を伝送するために利用される伝送方式であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）での送信を実行する（ステップＳ０８）。
【００１８】
このＴＭＤＳ送信の過程においては、シンク機器において当初にＴＭＤＳアクセスを検出した後（ステップＳ０９）、周波数検出、ＨＤＣＰのオン／オフ判定、ＨＤＭＩ信号とＤＶＩ（Ｄｉｇｉｔａｌ  Ｖｉｓｕａｌ  Ｉｎｔｅｒｆａｃｅ）信号の区別判定、Ｉｎｆｏ  Ｆｌａｍｅの判定、同期信号の検出、映像フォーマットの判定、音声フォーマットの判定、暗号化解除等の処理を随時実行する（ステップＳ１０）。
【００１９】
このようなＨＤＭＩケーブルを接続した当初に実行する一連の処理において、リンクが確立した後の、ＥＤＩＤの読み出しと、それに続くＨＤＣＰの認証開始、ＴＭＤＳデータの伝送開始に至る期間がソース機器によって大きく異なる。
【００２０】
すなわち、ソース機器が実際に映像信号を出力までに有する時間が機器によって大きく異なり、機器によっては４〜５［秒］の差が生じることも十分あり得るものであり、機器間を分配器で中継している場合などでは、さらに時間が伸びることになる。
【００２１】
そのため、上記オートサーチ機能では、信号出力が遅い機器では、映像信号が出力されるまでの間にシンク機器側で映像信号がないものと判定される可能性が高く、結果として、ソース機器によっては、オートサーチ機能を用いてＨＤＭＩ信号による映像出力を行なうことができない可能性が生じる。
【００２２】
反対に、映像信号の出力が遅いソース機器に合わせて、オートサーチ機能時の各機器の映像信号の有無を判定するまでの時間を長く設定することも考えられる。しかしながら、そのような設定を行なうことで、映像信号の出力が早い機器に対して、投影に移行するまでに無駄に冗長な時間を要することとなり、現実的ではない。
【００２３】
本発明は上記のような実情に鑑みてなされたもので、その目的とするところは、複数の映像信号のサーチ実行時に各映像信号の有無を判定する時間を適切に設定することが可能な表示装置、表示制御方法及びプログラムを提供することにある。
【課題を解決するための手段】
【００２４】
本発明の一態様は、デジタル映像信号端子を含む複数の映像信号端子を有する入力部と、上記入力部から入力した入力信号を表示する表示部と、上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御部と、を備える。
【発明の効果】
【００２５】
本発明によれば、複数の映像信号のサーチ実行時に各映像信号の有無を判定する時間を適切に設定することが可能となる。
【図面の簡単な説明】
【００２６】
【図１】本発明の一実施形態に係るプロジェクタ装置を含む投影システムの設置環境を示す図。
【図２】同実施形態に係るプロジェクタの電子回路の機能構成を示すブロック図。
【図３】同実施形態に係る映像信号をオートサーチ機能により検出して投影動作に移行する際の処理内容を示すフローチャート。
【図４】同実施形態に係る図３のステップＳ１０４におけるＨＤＭＩ信号のサーチ時間の設定処理を行なうサブルーチンの内容を示すフローチャート。
【図５】同実施形態に係るＨＤＭＩ信号のサーチ時間を説明する図。
【図６】映像信号のオートサーチ機能実行時の行程を例示する図。
【図７】ソース機器とシンク機器との間でのＨＤＭＩ信号のサーチから映像信号を伝送するまでに至る接続シーケンスを例示する図。
【発明を実施するための形態】
【００２７】
以下、本発明をＤＬＰ（登録商標）（Ｄｉｇｉｔａｌ  Ｌｉｇｈｔ  Ｐｒｏｃｅｓｓｉｎｇ）方式のプロジェクタ装置を用いた投影システムに適用した場合の一実施形態について、図面を参照して説明する。
【００２８】
図１は、上記投影システムの設置環境を例示する図である。同図において、プロジェクタ装置１０に対し、ケーブルＣＶ１，ＣＶ２を介して、パーソナルコンピュータＥＸ１、ビデオディスクプレーヤＥＸ２が接続される。
【００２９】
パーソナルコンピュータＥＸ１とプロジェクタ装置１０を接続するケーブルＣＶ１としては、例えば映像信号転送用のＶＧＡケーブル、ＨＤＭＩケーブル、またはＤｉｓｐｌａｙＰｏｒｔ（登録商標）ケーブルのいずれかが用いられるものとする。
【００３０】
またビデオディスクプレーヤＥＸ２とプロジェクタ装置１０とを接続するケーブルＣＶ２としては、ＨＤＭＩケーブルが用いられるものとする。
【００３１】
プロジェクタ装置１０は、投影動作の開始当初において、ケーブルＣＶ１，ＣＶ２を介して接続されているパーソナルコンピュータＥＸ１とビデオディスクプレーヤＥＸ２からの各映像信号のサーチを行ない、映像信号が入力されていると判断した側からの映像の投影設定を行なった上で、投影動作を開始して、映像をスクリーンＳＣに向けて出射する。
【００３２】
図２は、プロジェクタ装置１０の電子回路の機能構成を示すブロック図である。  
デジタル映像信号であるＨＤＭＩ信号がＨＤＭＩ端子（図示せず）を介してＨＤＭＩレシーバ１１（デジタル映像信号端子、入力部）に、アナログＲＧＢ信号がＶＧＡ端子（図示せず）を介してＡ／Ｄ変換部１２（入力部）に、同じくアナログの映像信号であるコンポジットビデオ信号がＲＣＡピンジャック端子（図示せず）を介してビデオデコーダ１３に、それぞれ入力される。
【００３３】
ＨＤＭＩレシーバ１１は、ＨＤＭＩ信号をデコードしてＣＰＵ１４へ出力する。
【００３４】
Ａ／Ｄ変換部１２は、アナログのＲＧＢ信号をデジタル化してＣＰＵ１４へ出力する。
【００３５】
ビデオデコーダ（入力部）１３は、輝度色差形のアナログ映像信号であるコンポジットビデオ信号を原色系のデジタル映像信号に変換してＣＰＵ（スケーラ、制御部）１４へ出力する。
【００３６】
ＣＰＵ１４は、ＨＤＭＩレシーバ１１、Ａ／Ｄ変換部１２、ビデオデコーダ１３から入力される映像信号に基づいて所定の投影条件での投影動作を司る、所謂スケーラとして機能する。ＣＰＵ１４は、ＥＤＩＤ処理部１５、ＥＥＰＲＯＭ（登録商標）１６、ＲＡＭ１７、ＲＦトランシーバ１８、制御マイコン１９、オーディオデバイス２０、キー入力部２１、ポジションセンサ２２、モータドライバ２３、マイクロミラー素子２４と接続される。
【００３７】
ＥＤＩＤ処理部１５は、ＨＤＭＩレシーバ１１を介して接続された外部機器との間の認証処理を実行する。
【００３８】
ＥＥＰＲＯＭ１６は、ＣＰＵ１４が実行する動作プログラムや各種固定データ等を記憶している。
【００３９】
ＲＡＭ１７は、ＣＰＵ１４が制御処理を実行する際のワークメモリとして機能する。
【００４０】
ＲＦトランシーバ１８は、プロジェクタ装置１０と無線接続される外部機器との間のデータの送受信を行なう。
【００４１】
制御マイコン１９は、ＲＦトランシーバ１８でのデータの送受信も含めて、ＣＰＵ１４が投影動作に対する制御を行なう以外の、プロジェクタ装置１０全体の動作を統括して制御する。
【００４２】
オーディオデバイス２０は、映像信号から分離された音声信号をアナログ化し、図示しないスピーカを拡声駆動する。
【００４３】
キー入力部２１は、プロジェクタ装置１０の本体筐体に設けられたキー操作部、及びプロジェクタ装置１０専用のリモートコントローラからのキー操作に応じた赤外線変調信号を受光する受光部を含み、キー操作信号をＣＰＵ１４へ送出する。
【００４４】
ポジションセンサ２２は、時分割で原色光を出射するためのカラーホイール２５に回転周端部に対向して設置され、カラーホイール２５に設けられたポジションマーカ（図示せず）の近接を検知することで、カラーホイール２５の回転同期を検出するためのセンサである。
【００４５】
モータドライバ２３は、カラーホイール２５を同一方向に一定速度で回転させるモータ（図示せず）を駆動する。
【００４６】
マイクロミラー素子２４は、２次元アレイ配列された多数のマイクロミラー個々の姿勢傾斜角度のオン／オフ制御による表示動作が実行されるものであり、このマイクロミラー素子２４に対してカラーホイール２５からの原色光が入射されることで、その反射光から投影光像が形成され、図示しない投影レンズ系を介して、被投影対象のスクリーンＳＣ等に向けて出射される。マイクロミラー素子２４上に画像を表示するための表示部は、表示エンコーダ、表示駆動部が備えられている。
【００４７】
次に上記一実施形態の動作について説明する。  
図３は、プロジェクタ装置１０において、投影を開始する当初に、その時点で入力されている映像信号をオートサーチ機能により検出した上で、入力される映像信号に対応した投影動作に移行する際の処理内容を示すフローチャートである。
【００４８】
ＣＰＵ１４は、まずＡ／Ｄ変換部１２を介してＶＧＡ端子にＲＧＢ信号が入力されているか否かを予め規定された時間内で検出する（ステップＳ１０１）。
【００４９】
検出の結果、ＲＧＢ信号による映像信号の入力があるか否かを判断する（ステップＳ１０２）。
【００５０】
ＲＧＢ信号による映像信号の入力があると判断した場合（ステップＳ１０２のＹｅｓ）、ＣＰＵ１４はＲＧＢ信号による投影を実行するものとして必要な設定処理を行なった上で（ステップＳ１０３）、以上でこの図３の処理を終了して、設定した通りに投影動作を開始する。
【００５１】
また上記ステップＳ１０２において、ＲＧＢ信号による映像信号の入力はないと判断した場合（ステップＳ１０２のＮｏ）、次にＣＰＵ１４は、ＨＤＭＩレシーバ１１を介してＨＤＭＩ信号が入力されているか否か、すなわちＨＤＭＩ信号のサーチを、以下に示す可変設定時間内で行なう（ステップＳ１０４）。
【００５２】
図４は、上記ステップＳ１０４におけるＨＤＭＩ信号のサーチ時間の設定処理を行なうサブルーチンの内容を示すフローチャートである。
【００５３】
当初にＣＰＵ１４では、ＨＤＭＩレシーバ１１により、ＨＤＭＩ端子ですでに映像信号があることを検出しているか否かを判断する（ステップＳ２０１）。
【００５４】
ＨＤＭＩ端子ですでに映像信号の検出がなされていると判断した場合（ステップＳ２０１のＹｅｓ）、ＣＰＵ１４はＨＤＭＩ端子への信号入力があるものと判定し（ステップＳ２０７）、ＣＰＵ１４はすでにＨＤＭＩレシーバ１１を介して外部接続された機器とのＨＤＭＩ信号に基づく同期設定がなされているものとして、以上でこの図４の処理を終了する。
【００５５】
また上記ステップＳ２０１において、ＨＤＭＩ端子でまた映像信号の検出がなされていないと判断した場合（ステップＳ２０１のＮｏ）、次にＣＰＵ１４は、ＨＤＭＩ端子中の規定の電源供給用のコネクトピン、例えばタイプＡソケットにおける１８番ピンに＋５［Ｖ］の電源供給がなされているか否かにより、ＨＤＭＩ端子への信号入力があるか否かを判断する（ステップＳ２０２）。
【００５６】
ＨＤＭＩ端子中の規定の電源供給用のコネクトピンに＋５［Ｖ］の電源供給がなされていないと判断した場合（ステップＳ２０２のＮｏ）、ＣＰＵ１４はＨＤＭＩ端子への信号入力がないものと判定し（ステップＳ２０６）、以上でこの図４の処理を終了するものとして、上記図３の処理に復帰する。
【００５７】
また上記ステップＳ２０２において、ＨＤＭＩ端子中の規定の電源供給用のコネクトピンに＋５［Ｖ］の電源供給がなされていると判断した場合（ステップＳ２０２のＹｅｓ）、次にＣＰＵ１４は、ＴＭＤＳデータ用のコネクトピン群を介して信号の暗号化技術であるＨＤＣＰの認証処理を開始する前であるか否かを判断する（ステップＳ２０３）。
【００５８】
ＨＤＣＰの認証処理の開始前であると判断した場合（ステップＳ２０３のＹｅｓ）、ＣＰＵ１４はＨＤＭＩ信号の有無を判断する標準のサーチ時間に対する、より長い延長分の時間Ｔ１を設定し（ステップＳ２０８）、次にＣＰＵ１４は、ＨＤＭＩレシーバ１１により、ＨＤＭＩ端子で映像信号があることを検出しているか否かを、標準のサーチ時間に延長時間Ｔ１を追加した時間で判断する（ステップＳ２１１）。
【００５９】
上記ステップＳ２１１において、ＨＤＭＩ端子で映像信号の検出がなされていないと判断した場合（ステップＳ２１１のＮｏ）、ＣＰＵ１４は、ＨＤＭＩ端子への信号入力がないものと判定し（ステップＳ２０６）、以上でこの図４の処理を終了するものとして、上記図３の処理に復帰する。
【００６０】
また上記ステップＳ２１１において、ＨＤＭＩ端子で映像信号の検出がなされていると判断した場合（ステップＳ２１１のＹｅｓ）、ＣＰＵ１４は、ＨＤＭＩ端子への信号入力があるものと判定し（ステップＳ２０７）、以上でこの図４の処理を終了するものとして、上記図３の処理に復帰する。
【００６１】
また上記ステップＳ２０３において、ＨＤＣＰの認証処理を開始するタイミングを過ぎていると判断した場合（ステップＳ２０３のＮｏ）、次にＣＰＵ１４は、ＨＤＣＰの認証処理がすでに開始されており、認証処理の途中であるか否かを判断する（ステップＳ２０４）。
【００６２】
ＨＤＣＰの認証処理の途中であると判断した場合（ステップＳ２０４のＹｅｓ）、ＣＰＵ１４は、ＨＤＭＩ信号の有無を判断する標準のサーチ時間に対する、若干長めの延長時間Ｔ２（Ｔ２＜Ｔ１）を設定し（ステップＳ２０９）、次にＣＰＵ１４は、ＨＤＭＩレシーバ１１により、ＨＤＭＩ端子で映像信号があることを検出しているか否かを、標準のサーチ時間に延長時間Ｔ２を追加した時間で判断する（ステップＳ２１１）。
【００６３】
上記ステップＳ２１１において、ＨＤＭＩ端子で映像信号の検出がなされていないと判断した場合（ステップＳ２１１のＮｏ）、ＣＰＵ１４は、ＨＤＭＩ端子への信号入力がないものと判定し（ステップＳ２０６）、以上でこの図４の処理を終了するものとして、上記図３の処理に復帰する。
【００６４】
上記ステップＳ２１１において、ＨＤＭＩ端子で映像信号の検出がなされていると判断した場合（ステップＳ２１１のＹｅｓ）、ＣＰＵ１４は、ＨＤＭＩ端子への信号入力があるものと判定し（ステップＳ２０７）、以上でこの図４の処理を終了するものとして、上記図３の処理に復帰する。
【００６５】
また上記ステップＳ２０４において、ＨＤＣＰの認証処理の途中でもないと判断した場合（ステップＳ２０４のＮｏ）、次にＣＰＵ１４は、ＨＤＣＰの認証処理を終えて、実際の映像信号であるＴＭＤＳデータの伝送中であるか否かを判断する（ステップＳ２０５）。
【００６６】
ＴＭＤＳデータの伝送中であると判断した場合（ステップＳ２０５のＹｅｓ）、ＣＰＵ１４は、ＨＤＭＩ信号の有無を判断する標準のサーチ時間に対する、若干の延長時間Ｔ３（Ｔ３＜Ｔ２＜Ｔ１）を設定し（ステップＳ２１０）、次にＣＰＵ１４は、ＨＤＭＩレシーバ１１により、ＨＤＭＩ端子で映像信号があることを検出しているか否かを、標準のサーチ時間に延長時間Ｔ３を追加した時間で判断する（ステップＳ２１１）。
【００６７】
上記ステップＳ２１１において、ＨＤＭＩ端子で映像信号の検出がなされていないと判断した場合（ステップＳ２１１のＮｏ）、ＣＰＵ１４は、ＨＤＭＩ端子への信号入力がないものと判定し（ステップＳ２０６）、以上でこの図４の処理を終了するものとして、上記図３の処理に復帰する。
【００６８】
上記ステップＳ２１１において、ＨＤＭＩ端子で映像信号の検出がなされていると判断した場合（ステップＳ２１１のＹｅｓ）、ＣＰＵ１４は、ＨＤＭＩ端子への信号入力があるものと判定し（ステップＳ２０７）、以上でこの図４の処理を終了するものとして、上記図３の処理に復帰する。
【００６９】
また上記ステップＳ２０５において、ＴＭＤＳデータの伝送中でもないと判断した場合（ステップＳ２０５のＮｏ）、ＣＰＵ１４は、ＨＤＭＩ端子への信号入力がないものと判定し（ステップＳ２０６）、以上でこの図４の処理を終了するものとして、上記図３の処理に復帰する。
【００７０】
図３では、ＨＤＭＩ信号の有無を判断する標準のサーチ時間に加えて、上記図４の処理で追加した延長分の時間の範囲内で、ＨＤＭＩ信号による映像信号（ＴＭＤＳデータ）が入力されているか否かを検出した結果、当該映像信号の入力があるか否かを判断する（ステップＳ１０５）。
【００７１】
ＨＤＭＩ信号による映像信号の入力があると判断した場合（ステップＳ１０５のＹｅｓ）、ＣＰＵ１４はＨＤＭＩ信号による投影を実行するものとして必要な設定処理を行なった上で（ステップＳ１０６）、以上でこの図３の処理を終了して、設定した通りに投影動作を開始する。
【００７２】
また上記ステップＳ１０５において、ＨＤＭＩ信号による映像信号の入力がないと判断した場合（ステップＳ１０５のＹｅｓ）、ＣＰＵ１４は、ビデオデコーダ１３を介してコンポジットビデオ信号が入力されているか否かを予め規定された時間内で検出する（ステップＳ１０７）。
【００７３】
検出の結果、コンポジットビデオ信号による映像信号の入力があるか否かを判断する（ステップＳ１０８）。
【００７４】
コンポジットビデオ信号による映像信号の入力があると判断した場合（ステップＳ１０８のＹｅｓ）、ＣＰＵ１４はコンポジットビデオ信号による投影を実行するものとして必要な設定処理を行なった上で（ステップＳ１０９）、以上でこの図３のオートサーチ処理を終了する。
【００７５】
また上記ステップＳ１０８において、コンポジットビデオ信号による映像信号の入力もないと判断した場合（ステップＳ１０８のＮｏ）、ＣＰＵ１４はＨＤＭＩレシーバ１１、Ａ／Ｄ変換部１２、及びビデオデコーダ１３のいずれにも映像信号が入力されていないものとして、以上でこの図３の処理を終了する。
【００７６】
図５は、上記図４の処理により適宜延長されるＨＤＭＩ信号のサーチ時間を説明する図である。  
図５（Ａ）は、参考までに、ＲＧＢ信号のサーチ時間、ＨＤＭＩ信号のサーチ時間、及びコンポジットビデオ信号のサーチ時間を、それぞれ固定とした場合の、タイミングｔ11からオートサーチ動作を開始した際のタイミングチャートである。
【００７７】
これに対して図５（Ｂ）は、特にＨＤＭＩ信号のサーチ時間を上記図４の処理により適宜延長した場合を示している。タイミングｔ11でオートサーチの処理を開始し、始めにＲＧＢ信号のサーチを行なう。
【００７８】
タイミングｔ12でＲＧＢ信号の有無の判定を行ない、ＲＧＢ信号の入力無しと判断した時点で、次にＨＤＭＩ信号のサーチとなる。このサーチの過程で、図中にタイミングｔ13で示す、本来の標準のサーチ時間を期限としてＨＤＭＩ信号の接続状態を判定し、上記図４に示したようにＨＤＣＰの認証を開始する前であれば延長時間Ｔ１、ＨＤＣＰの認証中であれば延長時間Ｔ２、ＴＭＤＳデータの転送中であれば延長時間Ｔ３（Ｔ１＞Ｔ２＞Ｔ３）となるように、状態に対応したタイミングｔ14までの延長時間Ｔを設定することで、延長した時間内で確実にＨＤＭＩ信号に応じた映像信号の入力の設定を実行することができる。
【００７９】
なお、図５（Ｂ）においては、上記図５（Ａ）と対応付けるものとして、ＨＤＭＩ信号のサーチ処理後のコンポジットビデオ信号のサーチ時間についても記載しているが、実際には、ＨＤＭＩ信号の装置処理時点で信号入力ありと判定し、ＨＤＭＩ信号に対する入力設定を行なった時点で、その後のコンポジットビデオ信号のサーチ処理は実行しない。
【００８０】
上記実施形態において、制御部は、ＨＤＭＩにおけるコピーガード機能としてのＨＤＣＰの認証処理段階と、ＴＭＤＳの処理の有無と、に応じて、デジタル映像信号としてのＨＤＭＩ信号に関するサーチ時間を延長設定し、それぞれ延長させる時間幅を異ならせるものとしたが、本発明はこのような構成に限らない。予め設定されている設定時間を延長するのではなく、ＨＤＣＰの認証処理段階と、ＴＭＤＳの処理の有無と、に応じて、デジタル映像信号のサーチ時間を短縮設定するようにしても良い。
【００８１】
以上詳述した如く本実施形態によれば、特に状態によって必要な処理時間が大きく変動するデジタル映像信号を含めて、複数の映像信号のサーチ実行時に各映像信号の有無を判定する時間を適切に設定することが可能となる。
【００８２】
特にＨＤＭＩにおけるコピーガード機能としてのＨＤＣＰの出力処理段階と、ＴＭＤＳの処理の有無と、に応じてサーチ時間を可変設定することで、デジタル映像信号としてのＨＤＭＩ信号に関するサーチ時間をより適切に設定できる。
【００８３】
加えて、上記ＨＤＣＰの認証処理段階と、ＴＭＤＳの処理の有無と、に応じてそれぞれ延長させる時間幅を異ならせるものとしたことで、状態に応じて必要な延長時間を設定できる。
【００８４】
なお上記実施形態では、デジタル映像信号としてＨＤＭＩ信号が入力される装置に適用した場合について説明したが、本発明はデジタル映像信号としてＨＤＭＩ信号に限定するものではなく、信号の暗号化を行なう技術として上記ＨＤＣＰを用いる他のデジタル映像信号として、例えばＤｉｓｐｌａｙＰｏｒｔ、ＭＨＬ、ＨＤＢａｓｅＴ、ＷｉｒｅｌｅｓｓＨＤ等が挙げられる。
【００８５】
さらに、コピーガードのための暗号化技術としても、ＨＤＣＰに限らず、ＤＴＣＰ（Ｄｉｇｉｔａｌ  Ｔｒａｎｓｍｉｓｉｏｎ  Ｃｏｎｔｅｎｔ  Ｐｒｏｔｅｃｔｉｏｎ）、ＣＳＳ（Ｃｏｎｔｅｎｔ  Ｓｃｒａｍｂｌｅ  Ｓｙｓｔｅｍ）、ＡＡＣＳ（Ａｄｖａｎｃｅｄ  Ａｃｃｅｓｓ  Ｃｏｎｔｅｎｔ  Ｓｙｓｔｅｍ）等であっても同様に適用可能である。
【００８６】
その他、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００８７】
以下に、本願出願の当初の特許請求の範囲に記載された発明を付記する。  
［請求項１］  
デジタル映像信号端子を含む複数の映像信号端子を有する入力部と、  
上記入力部から入力した入力信号を表示する表示部と、  
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御部と、  
を備える表示装置。  
［請求項２］  
上記接続状態は、上記デジタル映像信号端子を介しての信号の送受の段階である、請求項１記載の表示装置。  
［請求項３］  
上記制御部は、コピーガードの認証処理の処理段階、及びデジタル映像信号の入力の有無の少なくとも１つに応じて、上記デジタル映像信号端子のサーチ時間を延長設定する、請求項１または２記載の表示装置。  
［請求項４］  
上記制御部は、コピーガードの認証処理の処理段階、及びデジタル映像信号の入力の有無のそれぞれに応じて、異なる時間幅で当該端子のサーチ時間を延長設定する、請求項３記載の表示装置。  
［請求項５］  
デジタル映像信号端子を含む複数の映像信号端子を有する入力部と、上記入力部から入力した入力信号を表示する表示部とを備えた装置での表示制御方法であって、  
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御工程を有する表示制御方法。
［請求項６］  
デジタル映像信号端子を含む複数の映像信号端子を有する入力部と、上記入力部から入力した入力信号を表示する表示部とを備えた装置が内蔵したコンピュータが実行するプログラムであって、上記コンピュータを、  
上記デジタル映像信号端子の給電端子に対する電源供給の有無と、当該電源供給が有った場合の接続状態と、に応じて上記デジタル映像信号のサーチ時間を設定し、上記サーチ時間で上記デジタル映像信号端子の接続サーチを行なう制御部として機能させるプログラム。
【符号の説明】
【００８８】
１０…プロジェクタ装置、
１１…ＨＤＭＩレシーバ（デジタル映像信号端子、入力部）、
１２…Ａ／Ｄ変換部（Ａ／Ｄ、入力部）、
１３…ビデオデコーダ（入力部）、
１４…ＣＰＵ（スケーラ、制御部）、
１５…ＥＤＩＤ処理部、
１６…ＥＥＰＲＯＭ、
１７…ＲＡＭ、
１８…ＲＦトランシーバ、
１９…制御マイコン、
２０…オーディオデバイス、
２１…キー入力部、
２２…ポジションセンサ、
２３…モータドライバ、
２４…マイクロミラー素子、
２５…カラーホイール、
ＣＶ１，ＣＶ２…ケーブル、
ＥＸ１…パーソナルコンピュータ、
ＥＸ２…ビデオディスクプレーヤ、
ＳＣ…スクリーン
【図１】
2019220875.tif 000003
【図２】
2019220875.tif 000004
【図３】
2019220875.tif 000005
【図４】
2019220875.tif 000006
【図５】
2019220875.tif 000007
【図６】
2019220875.tif 000008
【図７】
2019220875.tif 000009